(57)【特許請求の範囲】
【請求項１】
情報処理システムと該情報処理システムに結合される表示デバイスとの間に配置される双方向光モニター相互接続であって、該双方向光モニター相互接続は、
デジタル情報をコード化する光ビームを伝導するために適している、第一端及び第二端を備える光ファイバと、
前記光ファイバの前記第一端で光通信するために適切に配置された光接続でデータ送信ができる第一の光通信デバイスと、
前記光ファイバの前記第二端で光通信するために適切に配置された光接続でデータ送信ができる第二の光通信デバイスと、
前記光ファイバの前記第一端で光通信するために適切に配置されて、デジタル情報をコード化する光ビームを電気的信号に変換するために適した第一の光受信デバイスと、
前記光ファイバの前記第二端で光通信するために適切に配置されて、デジタル情報をコード化する光ビームを電気的信号に変換するために適した第二の光受信デバイスとを有し、
前記第一の光通信デバイスは、第一波長を介して画像データを通信するために適しており、前記第二の光通信デバイスは第二波長を介してモニターデータを通信するために適しており、前記画像データ及び前記モニターデータの双方は前記光ファイバを反対方向に進行し、且つ
当該双方向光モニター相互接続は更に、信号の偏光角を調整するための、前記光ファイバを含む光ケーブル上に配置された偏光アダプターを有し、該偏光アダプターは光ビームの偏光を調整するための回転式フィルターを含む、
双方向光モニター相互接続。
【請求項２】
前記第二の光通信デバイス及び前記第一の光受信デバイスは、毎秒１００メガビット未満の速度で通信し、且つ
前記第一の光通信デバイス及び前記第二の光受信デバイスは、毎秒５００メガビットより高い速度で通信する、
請求項１に記載の双方向光モニター相互接続。
【請求項３】
前記モニターデータは、拡張ディスプレイ識別データ及びエンハンスト拡張ディスプレイ識別データの少なくとも一つである、請求項１に記載の双方向光モニター相互接続。
【請求項４】
当該双方向光モニター相互接続は、ＴＭＤＳ、プラグ・アンド・プレイ、フラットパネルディスプレイ・インターフェース−２、ＬＶＤＳ、デジタルビデオインターフェース及びモニターのためのデジタルインターフェース規格の一つに適合した活用に適切である、請求項１に記載の双方向光モニター相互接続。
【請求項５】
前記第一波長は４３０乃至５６５ナノメートルの範囲であり、前記第二波長は８６０乃至１５６０ナノメートルの範囲である、請求項１に記載の双方向光モニター相互接続。
【請求項６】
当該双方向光モニター相互接続を収容するために適するコードをさらに有する、請求項１に記載の双方向光モニター相互接続。
【請求項７】
情報処理システムと該情報処理システムに結合される表示デバイスとの間に配置される双方向光モニター相互接続であって、該双方向光モニター相互接続は、
デジタル情報をコード化する光ビームを伝導するために適している、第一端及び第二端を備える光ファイバと、
前記光ファイバの前記第一端で光通信するために適切に配置された光接続でデータ送信ができる第一の光通信デバイスと、
前記光ファイバの前記第二端で光通信するために適切に配置された光接続でデータ送信ができる第二の光通信デバイスと、
前記光ファイバの前記第一端で光通信するために適切に配置されて、デジタル情報をコード化する光ビームを電気的信号に変換するために適した第一の光受信デバイスと、
前記光ファイバと前記第一の光受信デバイスとの間に位置された、前記第二の光通信デバイスによって送信された光に対して透過である第一の光フィルターと、
前記光ファイバの前記第二端で光通信するために適切に配置されて、デジタル情報をコード化する光ビームを電気的信号に変換するために適した第二の光受信デバイスと、
前記光ファイバと前記第二の光受信デバイスとの間に位置された、前記第一の光通信デバイスによって送信された光に対して透過である第二の光フィルターとを有し、
前記第一の光通信デバイスは、第一波長を介して画像データを通信するために適しており、前記第二の光通信デバイスは第二波長を介してモニターデータを通信するために適しており、前記画像データ及び前記モニターデータの双方は前記光ファイバを反対方向に進行し、且つ
当該双方向光モニター相互接続は更に、信号の偏光角を調整するための、前記光ファイバを含む光ケーブル上に配置された偏光アダプターを有し、該偏光アダプターは光ビームの偏光を調整するための回転式フィルターを含む、
双方向光モニター相互接続。
【請求項８】
前記第二の光通信デバイス及び前記第一の光受信デバイスは、毎秒１００メガビット未満の速度で通信し、且つ
前記第一の光通信デバイス及び前記第二の光受信デバイスは、毎秒５００メガビットより高い速度で通信する、
請求項７に記載の双方向光モニター相互接続。
【請求項９】
前記モニターデータは、拡張ディスプレイ識別データ及びエンハンスト拡張ディスプレイ識別データの少なくとも一つである、請求項７に記載の双方向光モニター相互接続。
【請求項１０】
当該双方向光モニター相互接続は、ＴＭＤＳ、プラグ・アンド・プレイ、フラットパネルディスプレイ・インターフェース−２、ＬＶＤＳ、デジタルビデオインターフェース及びモニターのためのデジタルインターフェース規格の一つに適合した活用に適切である、請求項７に記載の双方向光モニター相互接続。
【請求項１１】
前記第一波長は４３０乃至５６５ナノメートルの範囲であり、前記第二波長は８６０乃至１５６０ナノメートルの範囲である、請求項７に記載の双方向光モニター相互接続。
【請求項１２】
当該双方向光モニター相互接続を収容するために適するコードをさらに有する、請求項７に記載の双方向光モニター相互接続。
【請求項１３】
双方向光モニター相互接続システムであって、該システムは
画像データを表示できるモニターと、
情報処理システムと、
前記モニターと前記情報処理システムとを接続するために適した双方向光モニター相互接続であり：
デジタル情報をコード化する光ビームを伝導するために適している、第一端及び第二端を備える光ファイバと、
前記光ファイバの前記第一端で光通信するために適切に配置された光接続でデータ送信ができる第一の光通信デバイスと、
前記光ファイバの前記第二端で光通信するために適切に配置された光接続でデータ送信ができる第二の光通信デバイスと、
前記光ファイバの前記第一端で光通信するために適切に配置されて、デジタル情報をコード化する光ビームを電気的信号に変換するために適した第一の光受信デバイスと、
前記光ファイバと前記第一の光受信デバイスとの間に位置された、前記第二の光通信デバイスによって送信された光に対して透過である第一の光フィルターと、
前記光ファイバの前記第二端で光通信するために適切に配置されて、デジタル情報をコード化する光ビームを電気的信号に変換するために適した第二の光受信デバイスと、
前記光ファイバと前記第二の光受信デバイスとの間に位置された、前記第一の光通信デバイスによって送信された光に対して透過である第二の光フィルターとを有し、
前記第一の光通信デバイスは、第一波長を介して画像データを通信するために適しており、前記第二の光通信デバイスは第二波長を介してモニターデータを通信するために適しており、前記画像データ及び前記モニターデータの双方は前記光ファイバを反対方向に進行し、且つ
当該双方向光モニター相互接続は更に、信号の偏光角を調整するための、前記光ファイバを含む光ケーブル上に配置された偏光アダプターを有し、該偏光アダプターは光ビームの偏光を調整するための回転式フィルターを含む、
双方向光モニター相互接続、
を有する双方向光モニター相互接続システム。
【請求項１４】
前記第二の光通信デバイス及び前記第一の光受信デバイスは、毎秒１００メガビット未満の速度で通信し、且つ
前記第一の光通信デバイス及び前記第二の光受信デバイスは、毎秒５００メガビットより高い速度で通信する、
請求項１３に記載の双方向光モニター相互接続システム。
【請求項１５】
前記第一の光通信デバイスは情報処理システム内に配置され、前記第二の光通信デバイスはモニター内に配置される、請求項１３に記載の双方向光モニター相互接続システム。
【請求項１６】
前記モニターデータは、拡張ディスプレイ識別データ及びエンハンスト拡張ディスプレイ識別データの少なくとも一つである、請求項１３に記載の双方向光モニター相互接続システム。
【請求項１７】
前記双方向光モニター相互接続は、ＴＭＤＳ、プラグ・アンド・プレイ、フラットパネルディスプレイ・インターフェース−２、ＬＶＤＳ、デジタルビデオインターフェース及びモニターのためのデジタルインターフェース規格の一つに適合した活用に適切である、請求項１３に記載の双方向光モニター相互接続システム。
【請求項１８】
前記第一波長は４３０乃至５６５ナノメートルの範囲であり、前記第二波長は８６０乃至１５６０ナノメートルの範囲である、請求項１３に記載の双方向光モニター相互接続システム。
【請求項１９】
前記双方向光モニター相互接続を収容するために適するコードをさらに有する、請求項１３に記載の双方向光モニター相互接続システム。
【請求項２０】
情報処理システムと該情報処理システムに結合される表示デバイスとの間に配置される双方向光モニター相互接続であって、該双方向光モニター相互接続は、
デジタル情報をコード化する光ビームを伝導するために適している、第一端及び第二端を備える光信号を伝導するための光ファイバと、
前記光ファイバの前記第一端で光通信するために適切に配置された光接続でデータ送信ができる第一の光送信手段と、
前記光ファイバの前記第二端で光通信するために適切に配置された光接続でデータ送信ができる第二の光送信手段と、
前記光ファイバの前記第一端で光通信するために適切に配置されて、デジタル情報をコード化する第一波長の光ビームを電気的信号に変換するために適した、光通信を受信するための第一の光受信手段と、
前記光ファイバの前記第二端で光通信するために適切に配置されて、デジタル情報をコード化する第二波長の光ビームを電気的信号に変換するために適した、光通信を受信するための第二の光受信手段とを有し、
前記第一の光送信手段は、前記第一波長を介して画像データを通信するために適しており、前記第二の光送信手段は前記第二波長を介してモニターデータを通信するために適しており、前記画像データ及び前記モニターデータの双方は前記光ファイバを反対方向に進行し、且つ
当該双方向光モニター相互接続は更に、信号の偏光角を調整するための、前記光ファイバを含む光ケーブル上に配置された偏光アダプターを有し、該偏光アダプターは光ビームの偏光を調整するための回転式フィルターを含む、
双方向光モニター相互接続。
【請求項２１】
前記第二の光送信手段及び前記第一の光受信手段は、毎秒１００メガビット未満の速度で通信し、且つ
前記第一の光送信手段及び前記第二の光受信手段は、毎秒５００メガビットより高い速度で通信する、
請求項２０に記載の双方向光モニター相互接続。
【請求項２２】
前記モニターデータは、拡張ディスプレイ識別データ及びエンハンスト拡張ディスプレイ識別データの少なくとも一つである、請求項２０に記載の双方向光モニター相互接続。
【請求項２３】
当該双方向光モニター相互接続は、ＴＭＤＳ、プラグ・アンド・プレイ、フラットパネルディスプレイ・インターフェース−２、ＬＶＤＳ、デジタルビデオインターフェース及びモニターのためのデジタルインターフェース規格の一つに適合した活用に適切である、請求項２０に記載の双方向光モニター相互接続。
【請求項２４】
前記第一波長は４３０乃至５６５ナノメートルの範囲であり、前記第二波長は８６０乃至１５６０ナノメートルの範囲であることを特徴とする請求項２０に記載の双方向光モニター相互接続。
【請求項２５】
情報処理システムであって、
デジタル情報をコード化する光ビームを当該情報処理システムに結合されるモニターとの間で光ファイバを介して伝導するために適した双方向光モニター相互接続ケーブルと結合される、当該情報処理システムに位置した光コネクターと、
前記光コネクターで光通信するために配置された光通信デバイスと、
前記光コネクターで光通信するために適切に配置されて、デジタル情報をコード化する光ビームを電気的信号に変換するための光受信デバイスとを有し、
前記光通信デバイスは、前記光ファイバを介して第一波長によって画像データを通信するために適しており、前記光受信デバイスは、前記光ファイバを介して第二波長によってモニターデータを受信するために適しており、前記画像データ及び前記モニターデータの双方は前記光ファイバを反対方向に進行し、且つ
当該情報処理システムは更に、信号の偏光角を調整するための、前記双方向光モニター相互接続ケーブル上に配置された偏光アダプターを有し、該偏光アダプターは光ビームの偏光を調整するための回転式フィルターを含む、
情報処理システム。
【請求項２６】
前記第二波長の光に対して透過である光フィルターをさらに有する、請求項２５に記載の情報処理システム。
【請求項２７】
モニターであって、
デジタル情報をコード化する光ビームを当該モニターに結合される情報処理システムとの間で光ファイバを介して伝導するための双方向光モニター相互接続ケーブルと結合されることが可能な、当該モニターに位置した光コネクターと、
前記光コネクターで光通信するために適切に配置されて、デジタル情報をコード化する光ビームを電気的信号に変換するための光受信デバイスと、
前記光コネクターで光通信するために配置された光通信デバイスとを有し、
前記光受信デバイスは、前記光ファイバを介して第一波長によって画像データを受信するために適しており、前記光通信デバイスは、前記光ファイバを介して第二波長によってモニターデータを送信するために適しており、前記画像データ及び前記モニターデータの双方は前記光ファイバを反対方向に進行し、且つ
当該モニターは更に、信号の偏光角を調整するための、前記双方向光モニター相互接続ケーブル上に配置された偏光アダプターを有し、該偏光アダプターは光ビームの偏光を調整するための回転式フィルターを含む、
モニター。
【請求項２８】
前記光受信デバイスは、前記第一波長の光に対して透過である光フィルターを活用する、請求項２７に記載のモニター。
【発明の詳細な説明】
【技術分野】
【０００１】
本発明は、一般的に、光通信分野に関し、特にモニター用の双方向光相互接続に関する。
【背景技術】
【０００２】
技術は日常生活においてより一層普及している。情報処理技術の一般的なレベルが増加するにつれて、ユーザは、高品質の出力を提供することができるハードウェアを要求する。ユーザの要求するそのような１つのエリアは、ディスプレイ・システムである。ユーザは、明瞭な画像を提供することができる効率的なディスプレイ・システムを必要とする。情報処理技術が改善するとともに、高品質出力を提供する効率的なディスプレイ・システムがさらに必要とされ、結果として高い要求となる。
【０００３】
特に、情報処理システムとディスプレイデバイスとの間の相互接続は問題を引き起こす。モニターなどの出力デバイスは、情報処理システムへの相互接続に関連した電磁妨害からのディスプレイの低質化を受けるかもしれない。ディスプレイの低質化は、配線の相互接続により通信された、高周波数の表示信号により発生する。アナログとデジタルの出力信号の両信号は、銅線などの配線により通信される場合に電磁妨害を引き起こす。配線によって高周波出力信号を通信する間に生成された電磁妨害は、特に大きなモニターでは、低画質の画像ディスプレイに帰着する干渉を引き起こすかもしれない。
【０００４】
配線の相互接続は、環境からの電磁妨害を受けるかもしれない。例えば、配線された相互接続を備える情報処理システムが高電圧装置に隣接するような、電磁気的に密集した環境に位置している場合、干渉は、低画質のディスプレイに帰着するかもしれない。電磁気ノイズが相互接続通信を妨害するために、ディスプレイの低質化が発生する。
【０００５】
相互接続通信の速度は様々である。情報処理システムからディスプレイデバイスに通信されるデータは、ディスプレイデバイスから情報処理システムへと発生する通信速度を大抵は上回る。例えば、およそ毎秒５ギガビットの通信が、１６００ｘ１２００ピクセルで３２ビット、８５ヘルツ（Ｈｚ）のディスプレイで発生し、一方で拡張ディスプレイ識別データ（ＥＤＩＤ）を提供するなどディスプレイから情報処理システムへの通信は、ほぼ毎秒１メガビット、又は毎秒１メガビット以下に留まるかもしれない。ディスプレイと情報処理システムとの間の通信は通信のタイプに依存して変化し得るので、相互接続が、双方向の通信速度が異なることを把握することが必要である。
【０００６】
このように、モニターのための双方向の光相互接続を提供することが望ましい。
【特許文献１】米国特許第６，３３６，１９２号明細書
【特許文献２】米国特許第６，３０７，５４３号明細書
【特許文献３】米国特許第６，２９５，０５３号明細書
【特許文献４】米国特許第６，１５１，３３４号明細書
【特許文献５】米国特許第６，０１６，２１１号明細書
【特許文献６】米国特許第４，８６３，２３３号明細書
【発明の開示】
【発明が解決しようとする課題】
【０００７】
したがって、本発明は双方向光モニター相互接続を提供することを目的とする。本発明の双方向の光の相互接続は、すでに周知の配線の相互接続に関連する電磁妨害を伴わずに情報処理システムとディスプレイデバイスとの間でデータを送信するための十分なシステムを提供する。
【課題を解決するための手段】
【０００８】
本発明の態様において、双方向光モニター相互接続は、第一及び第二端を備える光コンダクタを含む。第一の光通信デバイス及び第一の光受信デバイスは、光コンダクタの第一端に配置される。第二の光通信デバイス及び第二の光受信デバイスは、光通信デバイスの第二端に配置される。この態様において、第一の光通信デバイス及び第二の光受信デバイスは、第一波長を介して通信する。第二の光通信デバイス及び第一の光受信デバイスは、双方向通信が提供されるように第二波長を介して通信する。
【０００９】
本発明のさらなる態様において、双方向光モニター相互接続は、第一及び第二端を備える光コンダクタを含む。第一の光受信デバイスと光コンダクタとの間の第一の光フィルターは、光コンダクタの第一端に位置される。光コンダクタと第二の光受信デバイスとの間の第二の光フィルターは、光コンダクタの第二端に配置される。第一の光フィルターは、第二端に配置された第二の光通信デバイスによって送信されてよいように、第二波長に対して透過である。第二の光フィルターは、光コンダクタの第一端に配置された第一の光通信デバイスによって送信されてよいように、第一波長に対して透過である。
【００１０】
前述までの一般的な記載及び下記の詳細な記載は典型的な説明だけであって、請求された本発明を限定するものでないことを理解するべきである。当該明細書に組み込まれて、当該明細書の一部分を構成する添付図は、本発明の実施例を例証し、一般的な記述と共に本発明の原理について説明する役目をする。
【発明の効果】
【００１１】
本発明の双方向の光の相互接続は、すでに周知の配線の相互接続に関連する電磁妨害を伴わずに情報処理システムとディスプレイデバイスとの間でデータを伝送するための十分なシステムを提供できる。
【発明を実施するための最良の形態】
【００１２】
本発明の多数の利点は、添付図を参照することによって当業者に良好に理解されるであろう。
【００１３】
添付図で例証される、本発明の好ましい実施例が詳細に言及される。
【００１４】
一般的に、図１Ａ乃至３を参照するに、双方向光モニター相互接続が記載され、本発明の典型的な実施態様が示される。本発明の双方向の光の相互接続は、以前の配線された相互接続と関連する電磁妨害問題を伴わずに、情報処理システムとディスプレイデバイスとの間でデータを伝送するための効率的なシステムを提供する。
【００１５】
図１Ａ、１Ｂ及び１Ｃを参照するに、本発明の双方向光モニター相互接続１００が示される。光の相互接続１００は、光コンダクタ１０２を有する。光コンダクタ１０２は、デジタル情報をコード化する光ビームを伝導するために適している。適切な光コンダクタは、ガラスファイバー、プラスチック及び当業者にとって考えられるような光信号を伝導するために適するようなものを有する。例えば、本発明の態様における光コンダクタは、ほぼ８５０ナノメートル乃至１５６０ナノメートルの波長の光ビームの伝導が可能である。光コンダクタ１０２は、第一及び第二端を有する。通信ペアが、対応する光通信デバイスと光接続の反対端に配置された光受信デバイスとの間で形成され、したがって、双方向通信を可能にする。
【００１６】
第一の光通信デバイス１０４は、第一の光通信デバイスが光コンダクタ１０２上にデータを送信できるように光コンダクタ１０２の第一端に配置される。本実施態様において、第一の光通信デバイス１０４は、情報処理システムの筐体１１６内に配置される。
【００１７】
図２を参照するに、追加的な実施態様において、第一の光通信デバイス２０４は、光コンダクタ２０２を収容するコード２１８内に配置される。光コンダクタを収容するコードに第一の光通信デバイスを配置することは双方向光モニター相互接続２００が改造されることを可能にする。したがって、双方向の相互接続２００は、レガシーシステムで活用されてよい。
【００１８】
第一の光通信デバイス１０４は、光接続上にデータを送信することが可能である。適切な光通信デバイスは、可視光源、ダイオード、共鳴キャビティレーザーダイオード、レーザー、赤外線源、近赤外線源などを含む。第一の光通信デバイス１０４は、特定の波長及び／又は当業者によって考えられるような光コンダクタ１０２上で通信するために適切な波長の個別の範囲にわたってデータ送信できる。双方向モニター相互接続１００のこの向きにおいて、第一の光通信デバイスは、情報処理システム１２２からモニター１２４へ画像データ及び／又は埋め込みコマンドを提供することができる。
【００１９】
第二の光受信デバイス１０８は、光コンダクタ１０２の第二端に配置される。第二の光受信デバイス１０８は、光情報をコード化する光ビームを電気的信号に変換する。本実施態様において、第二の光受信デバイス１０８は、第一の光通信デバイス１０４を用いた通信に最適化された光受容性のダイオードである。好ましくは、第一の光通信デバイス１０４及び第二の光受信デバイス１０８は、毎秒５００メガビット以上などの高通信速度で通信できる。
【００２０】
第二の光通信デバイス１０６は、光コンダクタ１０２の第二端に配置される。第二の通信デバイス１０６は、光コンダクタ１０２上にデータを送信することができる。本実施における第二の通信デバイス１０６は、モニターの筐体１２０内に配置される。
【００２１】
追加的な実施態様において、第二の光通信デバイスは、光コンダクタを収容するコード内に配置される。第二の光通信デバイスと、第二の光受信デバイスと、光コンダクタの配置は、図２に開示された第一の光通信デバイス２０４と、第一の光受信デバイス２１０と、光コンダクタ２０２の配置と実質的に同様である。本発明の範囲及び目的を逸脱せずに光通信のために適切に配置されて維持している一方で、光通信／受信デバイスの物理的な位置が変化してよいことを当業者は認識するであろう。光コンダクタを収容するコードに第二の光通信デバイスを配置することは、双方向光モニター相互接続２００の改造を可能にする。したがって、双方向の相互接続２００は、レガシーシステムで活用されてよい。
【００２２】
第二の光通信デバイス１０６は、光コンダクタ１０２などの光接続上にデータを送信する。適切な光通信デバイスは、可視光源、ダイオード、共鳴キャビティレーザーダイオード、赤外線源、近赤外線源などを含む。第二の光通信デバイス１０６は、特定の波長及び／又は当業者によって考えられるような光コンダクタ１０２上で通信するために適切な波長の個別の範囲にわたってデータ送信できる。
【００２３】
第二の光通信デバイス１０６は、干渉を防ぐか最小限にする第一の光通信デバイス１０４によって送信された波長と十分に異なる波長を送信してよい。第一の光通信デバイスと第二の光受信デバイスとの第一の通信ペアと、第二の光通信デバイスと第一の光受信デバイスとの第二の通信ペアとの間で２つの異なる波長を活用することは、干渉を減少及び／又は除外する一方で、十分な通信を可能にする。
【００２４】
双方向光モニター相互接続１００のこの向きにおいて、第二の光通信デバイス１０６は、拡張ディスプレイ識別データ（ＥＤＩＤ）、エンハンスト拡張ディスプレイ識別データ（ＥＥＤＩＤ）等などのモニターデータを提供できる。
【００２５】
例えば、第一の光通信デバイス１０４が画像データなどの高周波数データを通信する場合、第二の光通信デバイス１０６がモニターデータを送信し、第二通信デバイスが赤外線の波長である、ほぼ７００ｎｍ乃至１５６０ｎｍを送信してよい一方で、第一の光通信デバイス１０４は、青から緑の波長である、ほぼ４３０ナノメートル（ｎｍ）乃至５６５ｎｍを送信してよい。
【００２６】
第一の光受信デバイス１１０は、光コンダクタ１０２の第一端に配置される。第一の光受信デバイス１０８は、光情報をコード化する光ビームを電気的信号に変換できる。本実施態様において、第一の光受信デバイス１１０は、第二の光通信デバイス１０６を用いた通信に最適化された光受容性のダイオードである。
【００２７】
モニターから情報処理システムへのデータなどのモニターデータは、一般的に、情報処理システムからモニターへのデータなどの画像データと比較して高い通信性能を必要としない。一般的に、拡張ディスプレイ識別データは、画像データが毎秒５００メガビット超を必要とする一方で、毎秒１００メガビット未満の速度で十分に処理される。製造と費用の関心により、電磁妨害を抑制しながらモニターデータを伝送するのに十分な性能を維持する一方で、コストを削減するために低い通信性能で光通信デバイス及び光受信デバイスを活用することが好ましい。換言すると、情報処理システムとモニターとの間のデータ伝送の非対称性は、両方向に高い帯域幅を必要としない。いくつかの例では、非対称の通信が十分である一方、対称な通信速度を可能にすることも本発明の趣旨及び範囲内である。
【００２８】
本発明の光モニターの相互接続は、少なくとも一つの下記の通信規格又は通信スキームである、ＴＭＤＳ（transmission  minimized  differential  signaling）、ＬＶＤＳ（low  voltage  differential  signaling）、デジタルビデオインターフェース、モニターのデジタルインターフェース規格、プラグ・アンド・プレイ、フラットパネルディスプレイ・インターフェース−２、及び同等のものに適合した活用を可能にする。例えば、光モニター相互接続は、通信規格などにおいて必要とされる電圧範囲内の電気信号を送信／受信してよい。光モニター相互接続が本発明の趣旨及び範囲を逸脱せずに様々な規格を採用するデバイスで実装されてよいことを当業者は認識するだろう。
【００２９】
図３を参照するに、本発明の第二の態様において、光フィルターが双方向光相互接続３００内に実装される。第一の光フィルター３１２は、光コンダクタ３０２と第一の光受信デバイス３１０との間に配置される。第一の光フィルター３１２は、第二の光通信デバイスによって送信される波長に対して透過である。
【００３０】
例えば、第二の光通信デバイスが、ほぼ４３０乃至５６５ナノメートルの青から緑の領域波長の波長及び／又は個別の範囲を送信する場合、第一の光フィルター３１２は、青から緑の領域である、ほぼ４３０乃至５６５ナノメートル又はそのサブセットに対して透過である。相応して、第二の光通信デバイスが、ほぼ８６０乃至１５６０ナノメートルの赤外線領域波長の波長及び／又は個別の範囲を送信する場合、第一の光フィルターは、赤外線領域である、ほぼ８６０乃至１５６０ナノメートル又はそのサブセットに対して透過である。第二の光フィルターは、第一の光フィルター３１２と実質的に同様にして実装される。光フィルターを利用することは、干渉をさらに減少及び／若しくは最小限にし、並びに／又は電磁スペクトル内で互いに対してより近い波長を利用できる。
【００３１】
図４を参照するに、ここに記載の実施態様のいずれも、適用できる場合において、信号の偏光角を調節するための偏光アダプター４０３とともに実装されてよいことを当業者は認識するであろう。例えば、アダプターは、情報処理システムに接続するためなどのためにコネクターに対して光コンダクタを回転させることができ、したがって、双方向の相互接続を含むコードは、もつれ又は巻きつきを解くために回転してよい。さらなる実施態様において、アダプターは、光ビームの偏光を調整することができる回転式フィルター４０５を含む。
【００３２】
本発明の双方向光モニター相互接続及びその付随する利点の多くが前述の記載によって理解することができる。様々な変更が、本発明の趣旨及び範囲を逸脱せずに、その物質の利点のすべてを犠牲にすることなしに、本発明の構成部分の形状、構成及び配置で成されることは明白である。上に記載された形態は、本発明の単なる典型的で具体的な説明である。そのような変更を包含し含むことは請求項の意図である。
【図面の簡単な説明】
【００３３】
【図１Ａ】双方向光モニター相互接続が情報処理システムとモニターとを備えて実装された、典型的な実施態様の斜視図である。
【図１Ｂ】第一の光通信デバイスと第一の光受信デバイスが情報処理システムのシャシーに実装された、典型的な実施態様の斜視図である。
【図１Ｃ】第二の光通信デバイスと第二の光受信デバイスがモニターのハウジングに実装された、典型的な実施態様の斜視図である。
【図２】双方向光モニター相互接続が光通信デバイスとコード内に位置する光受信デバイスとを含む、典型的な実施態様の斜視図である。
【図３】双方向光モニター相互接続が光コンダクタと光受信デバイスとの間で位置する光フィルターを含む、典型的な実施態様の側面図である。
【図４】調整可能な偏光デバイスを有する双方向の相互接続の側面図である。
【符号の説明】
【００３４】
１００  双方向光モニター相互接続
１０２  光コンダクタ
１０４  第一の光通信デバイス
１０６  第二の光通信デバイス
１０８  第二の光受信デバイス
１１０  第一の光受信デバイス
１１６  情報処理システムのハウジング
１２０  モニターのハウジング
１２２  情報処理システム
１２４  モニター
２００  双方向光モニター相互接続
２０２  光コンダクタ
２０４  第一の光通信デバイス
２１０  第一の光受信デバイス
２１８  光コンダクタ２０２を収容するコード
３００  双方向光相互接続
３０２  光コンダクタ
３１０  第一の光受信デバイス
３１２  第一の光フィルター
４０３  偏光アダプター
４０５  回転式フィルター
【図１Ａ】
0004504030.tif 000002
【図１Ｂ】
0004504030.tif 000003
【図１Ｃ】
0004504030.tif 000004
【図２】
0004504030.tif 000005
【図３】
0004504030.tif 000006
【図４】
0004504030.tif 000007